(57)【要約】【課題】内部構造に大きな変更を加えることなく、狭小空間に設置可能なダクト型空気調和機を提供する。【解決手段】筐体１０の空気吸込口１５から空気吹出口１１に至る送風路と直交する方向における幅を、熱交換室ＨＣ側よりも送風機室ＦＣ側を狭くして、筐体の四隅のうち筐体の一方の側面側で送風機室ＦＣの片側に凹部空間Ｓを設け、筐体１０外に引き出された冷媒配管５０を、延長配管部５１を介して筐体１０の一方の側面に沿って凹部空間Ｓ内に至るように延長し、凹部空間Ｓ内もしくは凹部空間Ｓから筐体１０の後面側に引き出された箇所で、室外熱交換器を含む冷凍回路の主配管に接続する。【選択図】図４
2015215145.tif 000002
【特許請求の範囲】
【請求項１】
前面に空気吹出口を有し後面に空気吸込口を有する直方体からなる筐体を備え、上記筐体の内部が、連通孔を有する仕切板を介して室内熱交換器を収納する上記空気吹出口側の熱交換室と、送風ファンを収納する上記空気吸込口側の送風機室とに区画されており、上記室内熱交換器に通される冷媒配管が、上記筐体の上記熱交換室側の一方の側面から筐体外に引き出され、室外熱交換器を含む冷凍回路の主配管に接続されるダクト型空気調和機において、
上記筐体の上記空気吸込口から上記空気吹出口に至る送風路と直交する方向における幅が、上記熱交換室側よりも上記送風機室側が狭く、上記筐体の四隅のうち上記筐体の一方の側面側で上記送風機室の片側に凹部空間が設けられており、
上記筐体外に引き出された冷媒配管が、上記筐体の一方の側面に沿って上記凹部空間内に至るように配設され、上記凹部空間内もしくは上記凹部空間から上記筐体の後面側に引き出された箇所で、上記室外熱交換器を含む冷凍回路の主配管に接続されることを特徴とするダクト型空気調和機。
【請求項２】
上記筐体には、上記冷媒配管のうち上記筐体の一方の側面に沿わされる配管部分を覆う配管カバーが着脱可能に設けられていることを特徴とする請求項１に記載のダクト型空気調和機。
【請求項３】
上記筐体は、上記凹部空間を囲み上記筐体の側面および後面の各一部分を形成する筐体カバーを有し、上記筐体カバーには、上記冷媒配管の一部分を固定する配管固定手段が設けられていることを特徴とする請求項１または２記載のダクト型空気調和機。
【請求項４】
上記筐体カバーは、水平面に沿って上下に分割された上部筐体カバーと下部筐体カバーとを含み、上記配管固定手段が、上記上部筐体カバーと上記下部筐体カバーとの合わせ面に形成された挟持溝からなることを特徴とする請求項３に記載のダクト型空気調和機。
【請求項５】
上記筐体の後面には、電装品箱が配置されていることを特徴とする請求項１ないし４のいずれか１項に記載のダクト型空気調和機。
【発明の詳細な説明】
【技術分野】
【０００１】
本発明は、ダクト型空気調和機に関し、さらに詳しく言えば、取付間口の狭い空間でも、容易に設置できるようにしたダクト型空気調和機に関する。
【背景技術】
【０００２】
ダクト型空気調和機は、例えば天井裏に配置され、扁平な直方体状の筐体内に室内熱交換器や送風ファンを収納した空気調和ユニットを備え、空気調和ユニットを送風ダクトを介して同じく天井に埋設された吹出チャンバ装置に接続するようにしている（例えば特許文献１参照）。図６の平面図に、その空気調和ユニットとしてのダクト型空気調和機の内部構造の一例を模式的に示す。
【０００３】
図６に示すように、ダクト型空気調和機は、筐体１を備え、天井裏にある梁９，９の間に図示しない吊下ボルト等により天井裏に吊り下げられている。
【０００４】
筐体１の内部は、仕切板２を介して熱交換室ＨＣと送風機室ＦＣとに区画され、熱交換室ＨＣ内に熱交換器（室内熱交換器）３が配置され、送風機室ＦＣ内に送風ファン４が配置されている。また、送風機室ＦＣの脇には、電装品箱９０が配置されている。
【０００５】
筐体１の送風機室ＦＣの背面（図６では上面）には、空気吸込口５が設けられ、熱交換室ＨＣの前面（図６では下面）には、空気吹出口６が設けられている。また、仕切板２の一部には、連通孔７が設けられている。図示しないが、空気吸込口５には室内空気を取り込むための吸気ダクトが接続され、空気吹出口６は、送気ダクトを介して風向板等を有する吹出チャンバ装置に接続される。
【０００６】
これにより、上記吸気ダクトを介して空気吸込口５から筐体１内に吸い込まれた室内空気は、送風機室ＦＣから連通孔７を通って熱交換室ＨＣに流入し、熱交換器３で冷媒と熱交換されたのち、空気吹出口６から上記送気ダクトを介して吹出チャンバ装置に流入し、吹出チャンバ装置から室内に送風される。
【０００７】
従来のダクト型空気調和機において、多くの場合、熱交換器３に通されている冷媒配管８，８（一方がガス側配管、他方が液側配管）が、筐体１の熱交換室ＨＣの側面から横出しとして筐体外に引き出され、図示しない室外熱交換器や圧縮機を含む冷凍回路の主配管（ガス側配管、液側配管）と接続されるようになっている。
【０００８】
しかしながら、梁９，９の間隔が例えば半間（９０センチ）程度しかない狭小空間に、ダクト型空気調和機を設置しようとした場合、上述した横出し方式では、筐体１の側面と梁９との間の作業空間が狭く、スパナ等の工具を操作することが困難で、冷媒配管８，８に管継手等の配管接続部材を介して冷凍回路の主配管を接続することができない、という問題が生ずる。
【０００９】
このような場合、筐体１の後面側（図６では上側）のスペースが空いているため、鎖線図示のように、冷媒配管８，８を横出し方式とはせずに、筐体１内を通して筐体１の後面側から引き出すようにすればよい。
【００１０】
このように配管の引出方向を変更する場合、図６の従来例では、電装品箱９０の位置を適当な位置（例えば、筐体１の後面側）にずらしたうえで、仕切板２に挿通孔を設けて冷媒配管８，８を筐体１の後面側に引き出すことになる。
【００１１】
しかしながら、これには、従来部品の転用が難しく、仕切板２を新たに作り直す必要があり、また、冷媒配管８，８の折り曲げ部等も設計し直さなければならないため、その分、開発コストおよび工数がかかる、という問題がある。
【先行技術文献】
【特許文献】
【００１２】
【特許文献１】特開２０１１−２０８８４７号公報
【発明の概要】
【発明が解決しようとする課題】
【００１３】
そこで、本発明の課題は、内部構造に大きな変更を加えることなく、狭小空間に設置可能なダクト型空気調和機を提供することにある。
【課題を解決するための手段】
【００１４】
上述した課題を解決するため、本発明は、前面に空気吹出口を有し後面に空気吸込口を有する直方体からなる筐体を備え、上記筐体の内部が、連通孔を有する仕切板を介して室内熱交換器を収納する上記空気吹出口側の熱交換室と、送風ファンを収納する上記空気吸込口側の送風機室とに区画されており、上記室内熱交換器に通される冷媒配管が、上記筐体の上記熱交換室側の一方の側面から筐体外に引き出され、室外熱交換器を含む冷凍回路の主配管に接続されるダクト型空気調和機において、上記筐体の上記空気吸込口から上記空気吹出口に至る送風路と直交する方向における幅が、上記熱交換室側よりも上記送風機室側が狭く、上記筐体の四隅のうち上記筐体の一方の側面側で上記送風機室の片側に凹部空間が設けられており、上記筐体外に引き出された冷媒配管が、上記筐体の一方の側面に沿って上記凹部空間内に至るように配設され、上記凹部空間内もしくは上記凹部空間から上記筐体の後面側に引き出された箇所で、上記室外熱交換器を含む冷凍回路の主配管に接続されることを特徴としている。
【００１５】
より好ましい態様として、上記筐体には、上記冷媒配管のうち上記筐体の一方の側面に沿わされる配管部分を覆う配管カバーが着脱可能に設けられていることが好ましい。
【００１６】
さらに好ましい態様として、上記筐体は、上記凹部空間を囲み上記筐体の側面および後面の各一部分を形成する筐体カバーを有し、上記筐体カバーには、上記冷媒配管の一部分を固定する配管固定手段が設けられていることが好ましい。
【００１７】
また、上記筐体カバーは、水平面に沿って上下に分割された上部筐体カバーと下部筐体カバーとを含み、上記配管固定手段が、上記上部筐体カバーと上記下部筐体カバーとの合わせ面に形成された挟持溝からなることが好ましい。
【００１８】
本発明には、上記筐体の後面には、電装品箱が配置されていることを特徴とするダクト型空気調和機も含まれる。
【発明の効果】
【００１９】
本発明によれば、筐体の側面から引き出された冷媒配管を、筐体の一方の側面に沿って筐体の背面側に設けられた凹部空間まで延ばし、凹部空間内もしくは凹部空間から上記筐体の後面側に引き出された箇所で、室外熱交換器を含む冷凍回路の主配管に接続することにより、筐体の内部に大きな変更を加えずに、狭小空間においても設置可能なダクト型空気調和機を提供することができる。
【図面の簡単な説明】
【００２０】
【図１】本発明の一実施形態に係るダクト型空気調和機の正面側を示す斜視図。
【図２】上記ダクト型空気調和機の背面側を示す斜視図。
【図３】上記ダクト型空気調和機の内部構造を示す斜視図。
【図４】上記ダクト型空気調和機の内部構造を示すとともに、設置方法を示す部分断面図。
【図５】（ａ）筐体カバーの分解斜視図および（ｂ）筐体カバーに配管延長部を取り付けた状態を示す拡大斜視図。
【図６】従来のダクト型空気調和機の構造および設置態様を説明する説明図。
【発明を実施するための形態】
【００２１】
次に、本発明の実施形態について図面を参照しながら説明するが、本発明はこれに限定されない。なお、従来例と同一もしくは同一と見なされる箇所には、同じ参照符号を付し、その説明は省略する。
【００２２】
図１〜図４に示すように、このダクト型空気調和機は、扁平な直方体（箱形）の筐体１０を有し、筐体１０の内部が、仕切板４０によって、室内熱交換器２０を収納する熱交換室ＨＣと、送風ファン３０を収納する送風機室ＦＣとに区画されている。
【００２３】
熱交換室ＨＣは、筐体１０の前部側（図１の左斜め手前側）に配置されており、その内部にフィンチューブ型の室内熱交換器２０が、筐体１０の底面から天面にかけて斜めに傾斜した状態で配置されている。
【００２４】
筐体１０の熱交換室ＨＣの前面パネル１３には、室内熱交換器２０で冷媒と熱交換された空気を筐体１０の外に吹き出す空気吹出口１１が設けられている。この実施形態において、空気吹出口１１は、筐体１０の前面に沿って横長な長方形状に開口されており、その開口縁に沿って送気ダクト接続用のフランジ部１３１が突設されている。
【００２５】
ダクト型空気調和機の筐体１０は、送気ダクトおよび吸気ダクトを介して接続される送気チャンバ装置および吸気チャンバ装置が接続されるが、本実施形態では、ダクト型空気調和機の本体である筐体１０についてのみ説明し、送気チャンバ装置および吸気チャンバ装置については任意的事項であり、その説明は省略する。
【００２６】
筐体１０の熱交換室ＨＣの左側壁（図１では右斜め手前の側壁）には、室内熱交換器２０に通された冷媒配管５０の一部を筐体１０の外に引き出すための引出孔１２が設けられている。ここで、冷媒配管５０は、熱交換器２０内に通される配管の一部であり、高温高圧の液冷媒が流れる細径の液側配管５０ａと、低温低圧のガス冷媒が流れる太径のガス側配管５０ｂとが含まれている。
【００２７】
この実施形態において、引出孔１２は、液側配管５０ａとガス側配管５０ｂとをそれぞれ独立に引き出す２つの径の異なる孔を含んでいるが、引出孔１２は、液側配管５０ａおよびガス側配管５０ｂを１つに引出可能な大径孔であってもよい。
【００２８】
送風機室ＦＣは、筐体１０の後部側（図１では右斜め奥側）に配置されており、その内部に送風機３０が配置されている。送風機３０は、中央にファンモータ３１を有し、ファンモータ３１の両側に送風ファン本体３２，３２が配置されている。
【００２９】
この実施形態において、ファンモータ３１は、モータ本体の軸線方向の両端に出力軸を備えたモータが用いられており、その各出力軸に送風ファン本体３２がそれぞれ接続されている。
【００３０】
ファンモータ３１は、ラジアルファンからなり、送風機室ＦＣから吸い込んだ空気を後述する仕切板４０の各連通孔４１，４１から熱交換室ＨＣに向けて強制的に送り込むようになっている。本発明において、室内熱交換器２０および送風ファン３０の具体的な構成は任意であってよい。
【００３１】
筐体１０の送風機室ＦＣの背面パネル１４には、送風機室ＦＣ内に空気を吸い込む空気吸込口１５が設けられている。この実施形態において、空気吸込口１５は、筐体１０の背面パネル１４に沿って横長な六角形状に開口されており、その開口縁に沿って図示しない吸気ダクトを接続するためのフランジ部が突設されている。
【００３２】
仕切板４０は、筐体１０の内部を前後に区画するように、左右方向に沿って配置され、その一部には、送風機室ＦＣと熱交換室ＨＣとを連通する２箇所の連通孔４１，４１が設けられている。この実施形態において、連通孔４１は、各送風ファン本体３２の空気吹出口に合致するように形成されている。
【００３３】
仕切板４０は、その一部が後述する凹部空間Ｓに対向する熱交換室ＨＣの背面パネルを兼ねている。
【００３４】
筐体１０は、熱交換室ＨＣと送風機室ＦＣが、１枚の右側面パネル１６を共有して形成されており、筐体１０の送風機室ＦＣに該当する部位の幅Ｗ１が、熱交換室ＨＣに該当する部位の幅Ｗ２よりも小さく（Ｗ１＜Ｗ２）形成されている。これにより、送風機室ＦＣの左側面側に冷媒配管５０を配置するための凹部空間Ｓが形成される。
【００３５】
筐体１０の側面には、冷媒配管５０を、引出孔１２から突出する配管接続部から凹部空間Ｓまで延長する延長配管部５１を備えている。
【００３６】
図４および図５（ｂ）に示すように、延長配管部５１は、引出孔１２から熱交換室ＦＣの左側面パネル１７に沿って熱交換室ＨＣの背面に延びる第１延長配管部５１１と、第１延長配管部５１１の一端をほぼ直角に折り曲げて熱交換室ＨＣの背面に沿って延びる第２延長配管部５１２と、第２延長配管部５１２から第１延長配管部５１１と平行となるようにほぼ直角に折り曲げられ、凹部空間Ｓ内を通って筐体１０の背面側に向かって延びる第３延長配管部５１３とを備えている。
【００３７】
第３延長部５１３の先端部には、図示しない室外機ユニットの圧縮機や室外熱交換器を含む冷凍回路の主配管に接続される配管継手部５２が設けられている。配管継手部５２には、配管接続用の図示しない接続用ニップルが設けられている。
【００３８】
筐体１０には、凹部空間Ｓを囲み、筐体１０の後面および側面の各一部分を形成する筐体カバー６０が設けられている。図５に示すように、筐体カバー６０は、延長配管部５１を下側から支える第１筐体カバー６１と、延長配管部５１を上側から挟み込む第２筐体カバー６２とを有し、延長配管部５１を上下方向から挟んで固定する。
【００３９】
第１筐体カバー６１は、筐体１０の左側面パネル１７に沿って平行な第１固定片６１１と、第１固定片６１１からほぼ垂直に折り曲げられ、背面パネル１４に沿って平行な第２固定辺６１２とを有するＬ字状に形成されている。第１筐体カバー６１は、筐体１０の底面パネル１８の一部に固定されている。
【００４０】
第１筐体カバー６１の上端縁には、延長配管部５１を下側から支持する第１および第２挟持溝６３，６４が設けられている。第１挟持溝６３は、第２延長配管部５１２の液側配管５０ａおよびガス側配管５０ｂの外周面の下半分に合致する半円状の切欠部である。第２挟持溝６４は、延長配管部５１の第３延長配管部５１３の液側配管５０ａおよびガス側配管５０ｂの外周面の下半分に合致する半円状の切欠部である。
【００４１】
第２筐体カバー６２も第１筐体カバー６１に対応した形状であって、筐体１０の左側面パネル１７に沿って平行な第３固定片６２１と、第３固定片６２１からほぼ垂直に折り曲げられ、背面パネル１４に沿って平行な第４固定辺６２２とを有するＬ字状に形成されている。第２筐体カバー６２は、下端面が第１筐体カバー６１の上端面に対して合致する。
【００４２】
第２筐体カバー６２の下端縁には、延長配管部５１を上側から支持する固定する第３および第４挟持溝６５，６６が設けられている。第３挟持溝６５は、第２延長配管部５１２の液側配管５０ａおよびガス側配管５０ｂの外周面の下半分に合致する半円状の切欠部であって、この例では２箇所設けられている。第４挟持溝６６は、延長配管部５１の第３延長配管部５１３の液側配管５０ａおよびガス側配管５０ｂの外周面の下半分に半円状の切欠部であって、この例では２箇所設けられている。
【００４３】
図５（ｂ）に示すように、第１筐体カバー６１の上に第２筐体カバー６２を突き合わせて固定することにより、第１挟持溝６３と第３挟持溝６５とが互いに合致して、第２延長配管部５１２の液側配管５０ａとガス側配管５０ｂをそれぞれ挟持する２つの丸孔が形成される。同様に、第２挟持溝６４と第４挟持溝６６とが互いに合致することで、第３延長配管部５１３の液側配管５０ａとガス側配管５０ｂをそれぞれ挟持する２つの丸孔が形成される。
【００４４】
筐体１０には、筐体１０の側面に露出した延長配管部５１の一部を覆う配管カバー７０が着脱可能に設けられている。図１に示すように、配管カバー７０は、左側面パネル１７の外周面から筐体カバー６０に沿って配置された第１延長配管部５１１を覆い隠す細長い直方体からなり、内部に第１延長配管部５１１を収納するため断面コ字状に形成されている。
【００４５】
この実施形態において、配管カバー７は、筐体１０の引出孔１２から筐体カバー６０の第１挟持溝６３と第３挟持溝６５に至る第１延長配管部５１１を覆う長さを備えている。配管カバー７０の内周面には、冷媒配管５０を断熱するため断熱材が貼り合わせられていることが好ましい。
【００４６】
筐体１０の両側面には、筐体１０を図示しない吊ボルトに係止するため吊金具８０が設けられている。この実施形態において、吊金具８０は、筐体１０の熱交換室ＨＣの左右側面に２箇所ずつ、合計４箇所設けられている。本発明において、吊金具８０の具体的な構成は任意であってよい。
【００４７】
筐体１０の背面側にはさらに、ダクト型空気調和機を駆動するための電装品箱９０が配置されている。電装品箱９０は、内部に回路基板や電源部品などの電気部品が収納されており、送風機室ＦＣの背面パネル１４にネジ止め固定されている。
【００４８】
これによれば、筐体１０の背面側に電装品箱９０を配置することで、凹部空間Ｓを確保しつつ、電装品箱９０が梁９，９に干渉しないため、筐体１０を狭小空間に設置することができる。
【００４９】
以上説明したように、本発明によれば、図４に示すように、筐体１０の送風機室ＦＣの側面に凹部空間Ｓを設け、筐体１０の側面から引き出された冷媒配管５０を、延長配管部５１を設けて筐体１０の外側面に沿って凹部空間Ｓまで延長したことにより、左右の梁９，９に冷媒配管５０が干渉しないため、梁９，９で挟まれた狭小スペースに、大きな改修をすることなくダクト型空気調和機を設置することができる。
【符号の説明】
【００５０】
１０  筐体
１１  空気吹出口
１２  引出孔
１３  正面パネル
１４  背面パネル
１５  空気吸込口
１６  右側面パネル
１７  左側面パネル
１８  底面パネル
２０  熱交換器
３０  送風ファン
４０  仕切板
４１  連通孔
５０  冷媒配管
５０ａ  液側配管
５０ｂ  ガス側配管
５１  延長配管部
６０  筐体カバー
７０  配管カバー
ＦＣ  送風機室
ＨＣ  熱交換室
Ｓ  凹部空間
【図１】
2015215145.tif 000003
【図２】
2015215145.tif 000004
【図３】
2015215145.tif 000005
【図４】
2015215145.tif 000006
【図５】
2015215145.tif 000007
【図６】
2015215145.tif 000008